(57)【要約】【課題】簡単な施工で照明装置を取り付けて玄関土間を照らすことのできる照明設置構造を提供する。【解決手段】本発明の照明設置構造では、玄関土間９に面して位置する設置面１５と、設置面１５を跨いで位置する玄関框２と、設置面１５に設置される照明装置３とを、段差部分１に備える。玄関框２は、第一板部２１と第二板部２２とをＬ字型に連続して有する。設置面１５と玄関框２との間にスペースＳを形成し、設置面１５に設置した照明装置３を、スペースＳに位置させる。【選択図】図１
2014235830.tif 000002
【特許請求の範囲】
【請求項１】
建築物の床とこれの前方に位置する玄関土間との間の段差部分に、前記玄関土間に面して位置する設置面と、前記設置面を跨いで上方に位置する玄関框と、前記設置面に設置される照明装置とを備え、前記照明装置で前記玄関土間を照らすように設けた照明設置構造であって、
前記玄関框は、第一板部と第二板部とをＬ字型に連続して有する部材であり、
前記第一板部は、前記設置面よりも前記玄関土間側に位置する端縁部を有し、
前記第二板部は、前記第一板部が有する前記端縁部から下方に延設され、
前記設置面と前記玄関框との間にはスペースが形成され、
前記設置面に前記照明装置を設置した状態で、
前記スペースに前記照明装置が位置するように設けたことを特徴とする照明設置構造。
【請求項２】
前記設置面に前記照明装置を設置した状態で、
前記照明装置と前記第一板部との間に、上下方向の距離が設けられ、且つ、
前記照明装置と前記第二板部との間に、前後方向の距離が設けられることを特徴とする請求項１に記載の照明設置構造。
【請求項３】
前記照明装置は、少なくとも上側の外郭をなすカバー部材を備え、
前記カバー部材は、前斜め下方に傾斜した傾斜カバー部を有することを特徴とする請求項２に記載の照明設置構造。
【請求項４】
前記設置面に前記照明装置を設置した状態で、
前記照明装置の下端が、前記第二板部の下端よりも下方に位置するように設けたことを特徴とする請求項１〜３のいずれか一項に記載の照明設置構造。
【発明の詳細な説明】
【技術分野】
【０００１】
本発明は、玄関土間を照らすように設けた照明設置構造に関する。
【背景技術】
【０００２】
従来、照明装置を備えて玄関土間を照らすように設けたものが提案されている。
【０００３】
特許文献１に記載の構造では、玄関土間から立設した立上り部の上部に上がり框を配置し、この上がり框の下面に、切欠部を形成している。この切欠部内に収納ボックスを固着させ、収納ボックス内に照明装置を装着する構造である。
【先行技術文献】
【特許文献】
【０００４】
【特許文献１】特開２００２−２９８６４１号公報
【発明の概要】
【発明が解決しようとする課題】
【０００５】
前述した従来の構造では、上り框の下面に、所定の寸法形状で切欠部を形成し、この切欠部内に収納ボックスを装入して固着させる必要があり、簡単な施工で照明装置を取り付けるものではなかった。
【０００６】
本発明は、前記課題を解決するもので、簡単な施工で照明装置を取り付けて玄関土間を照らすことのできる照明設置構造を提供することを、目的とする。
【課題を解決するための手段】
【０００７】
前記課題を解決するために、本発明を、下記構成を具備する照明設置構造とする。
【０００８】
本発明は、建築物の床とこれの前方に位置する玄関土間との間の段差部分に、前記玄関土間に面して位置する設置面と、前記設置面を跨いで上方に位置する玄関框と、前記設置面に設置される照明装置とを備え、前記照明装置で前記玄関土間を照らすように設けた照明設置構造であって、前記玄関框は、第一板部と第二板部とをＬ字型に連続して有する部材であり、前記第一板部は、前記設置面よりも前記玄関土間側に位置する端縁部を有し、前記第二板部は、前記第一板部が有する前記端縁部から下方に延設され、前記設置面と前記玄関框との間にはスペースが形成され、前記設置面に前記照明装置を設置した状態で、前記スペースに前記照明装置が位置するように設ける。
【０００９】
本発明では、前記設置面に前記照明装置を設置した状態で、前記照明装置と前記第一板部との間に、上下方向の距離が設けられ、且つ、前記照明装置と前記第二板部との間に、前後方向の距離が設けられることが好ましい。
【００１０】
更に、前記照明装置は、少なくとも上側の外郭をなすカバー部材を備え、前記カバー部材は、前斜め下方に傾斜した傾斜カバー部を有することが好ましい。
【００１１】
また、本発明では、前記設置面に前記照明装置を設置した状態で、前記照明装置の下端が、前記第二板部の下端よりも下方に位置するように設けることが好ましい。
【発明の効果】
【００１２】
本発明は、設置面と玄関框との間にスペースを形成し、この設置面に照明装置を設置した状態で、前記スペースに前記照明装置を位置させるものである。そのため、本発明は、簡単な施工で照明装置を取り付けて玄関土間を照らすことができるという効果を奏する。
【図面の簡単な説明】
【００１３】
【図１】本発明の一実施形態の照明設置構造を示す断面図である。
【図２】同上の照明設置構造で用いる照明装置の断面図である。
【図３】同上の照明装置の斜視図である。
【図４】同上の照明装置の分解斜視図である。
【発明を実施するための形態】
【００１４】
本発明を、添付図面に示す実施形態に基づいて説明する。
【００１５】
図１は、本発明の一実施形態の照明設置構造を示す断面図である。本実施形態の照明設置構造は、建築物の床８と、これの前方に位置する玄関土間９との間の段差部分１に、玄関土間９を照らす照明装置３を設置する構造である。
【００１６】
本文中においては、床８に対して玄関土間９が位置する方を「前方」、玄関土間９に対して床８が位置する方を「後方」として説明する。
【００１７】
まず、照明装置３の構造について、図２−図４に基づいて詳述する。
【００１８】
照明装置３は、取付ベース４、導光部材５０、光源６０及びカバー部材７を備える。
【００１９】
取付ベース４は、長手方向を有する長板状の部材である。照明装置３は、この取付ベース４を介して後述の設置面１５に取り付けられる。
【００２０】
取付ベース４は、ベース部４１と、被取付部４２とを有する（図４参照）。ベース部４１は、正面視において左右に長尺の金属部材である。被取付部４２は、ベース部４１の長手方向の両端部にそれぞれ前方に突出するように設けられた、縦板状の部材である。この被取付部４２に、光源６０が取り付けられる。
【００２１】
本実施形態では、長尺の金属板からなるベース部４１の両端部をそれぞれ折曲げることで、被取付部４２を一体に形成している。被取付部４２を、ベース部４１の一方の端部にだけ設けることも可能である。
【００２２】
導光部材５０は、長手方向を有する棒状の部材であり、透光性を有する。導光部材５０の長手方向の端面が、光源６０からの光の入射面５３であり、導光部材５０の長手方向に沿う一面が、入射面５３より入射した光の出射面５４である。
【００２３】
また、導光部材５０の出射面５３とは反対の部分が、反射部５５となる。本実施形態の導光部材５０では、入射面５３から入射した光が、反射部５５で拡散、乱反射され、出射面５４より出射される。本実施形態の導光部材５０では、長手方向の両端面を入射面５３としているが、一方の端面だけを入射面５３としてもよい。
【００２４】
導光部材５０は、取付ベース４に取り付ける。本実施形態の照明装置３では、導光部材５０は導光部材ユニット５に備えており、この導光部材ユニット５を取付ベース４に取り付ける。
【００２５】
導光部材ユニット５は、導光部材５０、収容ケース５１及び取付部５２を備える。収容ケース５１は、導光部材５０と同様の長尺の部材であり、長手方向に沿う一面側に開口を有する。この開口を通じて、導光部材５０が収容ケース５１内に挿入及び保持される。このとき、収容ケース５１の開口の奥側に、導光部材５０の反射部５５が位置し、収納ケース５１の開口の手前に、導光部材５０の出射面５４が位置する。
【００２６】
導光部材５０の取付部５２は、収容ケース５１に一体に連結された断面Ｌ字型の部分であり、この部分がベース部４１に取り付けられる（図２参照）。断面Ｌ字状である取付部５２の一方の辺部が収容ケース５１に一体に連結され、取付部５２の他方の辺部が、ベース部４１に沿う姿勢でこのベース部４１に取り付けられる。
【００２７】
光源６０は、基板にＬＥＤ（図示略）を実装したものである。本実施形態の照明装置３では、光源６０は光源ユニット６に備える。
【００２８】
光源ユニット６は、光源６０、第一収容ケース６１、第二収容ケース６２及び伝熱部材６３を備える。
【００２９】
第一収容ケース６１は、取付ベース４の被取付部４２に取り付けられる部材である。第二収容ケース６２は、第一収容ケース６１に装着される。光源６０と伝熱部材６３は、被取付部４２と収容ケース６１との間に挟持される。伝熱部材６３は、光源６０で発生した熱の放熱を促進する部材である。
【００３０】
カバー部材７は、上カバー部７１、傾斜カバー部７２及び前カバー部７３を、一体に有する。
【００３１】
上カバー部７１は、設置面１５と接触又は近接して配される部分である。傾斜カバー部７２は、上カバー部７１の前端部から、前斜め下方に傾斜して延長される部分である。前カバー部７３は、傾斜カバー部７２の前端部から下方に延長される部分である。
【００３２】
カバー部材７のうち上カバー部７１と傾斜カバー部７２が、導光部材５０と光源６０の上側を覆う。また、カバー部材７のうち前カバー部７３が、導光部材５０と光源６０の前側を覆う。  
【００３３】
さらに本実施形態の照明装置３は、透光部材３１とエンドカバー３２とを備える。
【００３４】
透光部材３１は、カバー部材７の下方を覆う部材であり、プリズム形状を有する。透光部材３１は他のレンズ形状であってもよいし、或いはレンズ形状でなくてもよい。
【００３５】
エンドカバー３２は、カバー部材７の長手方向の開口を閉塞する部材であり、カバー部材７に装着される。
【００３６】
本実施形態の照明設置構造では、以上の構造を備える照明装置３が、建築物の床８と玄関土間９との間の段差部分１に、図１に示すような構造で設置される。
【００３７】
段差部分１は、床８の端縁部８１と、この端縁部８１を下方から支持する下地桟１１と、下地桟１１の前面の上部に固定される取付下地１２と、下地桟１１の前面の下部に固定される当て木１３と、当て木１３の前面に固定される仕上げ材１４とを有する。仕上げ材１４はタイルである。
【００３８】
床８の端縁部８１の前面と、取付下地１２の前面と、仕上げ材１４の前面とは、この順に、上から下へと略面一に連続する。
【００３９】
段差部分１の設置面１５は、床８の端縁部８１の前面と、取付下地１２の前面とから成る。即ち、照明装置３の取付ベース４は、床８の端縁部８１の前面と、取付下地１２の前面とに跨って固定される。
【００４０】
段差部分１には、床８の端縁部８１を覆い隠す玄関框２を、更に備える。
【００４１】
玄関框２は、共に平板状である第一板部２１と第二板部２２とを、側面視Ｌ字状に連続させた部材である。第一板部２１は、その後側部分が床８の上面に貼着され、残りの前側部分が、床８を超えて玄関土間９側に突出する。そのため、第一板部２１の前側の端縁部は、設置面１５を超えて玄関土間９側に位置する。
【００４２】
第二板部２２は、第一板部２１の前側の端縁部から、下方に向けて延設される。第二板部２２は、設置面１５と平行に垂下される。第二板部２２の下端は、設置面１５の下端（即ち、取付下地１２の前面の下端）よりも上方に位置する。より具体的に述べると、第二板部２２の下端は、床８の前面の下端よりも更に上方に位置する。
【００４３】
床８の端縁部８１に貼着した玄関框２は、設置面１５を前後方向に跨ぐようにしてこの設置面１５の上方に位置する。玄関框２と設置面１５との間には、スペースＳが形成される。スペースＳは、玄関框２に隠されて保護される領域である。設置面１５に取付固定した照明装置３は、このスペースＳに位置する。
【００４４】
設置面１５に取付固定された照明装置３は、出射面５４を下方に向けた姿勢で導光部材５０を保持し、且つ、出射面５５の下方に位置するように透光部材３１を保持する。照明装置３では、光源ユニット６の光源６０からの光を導光部材５０内に導入し、導光部材５０の反射部５５で反射させた光を、導光部材５０の出射面５４と透光部材３１を通じて、下方に出射する。
【００４５】
透光部材３１を通じて下方に出射された光は、玄関土間９を直接的に及び間接的に照らす。つまり、下方に照射された光の一部は玄関土間９を直接的に照らし、照射された光の他の部分は、照明装置３の下方に位置する仕上げ材１４の前面を照らし、更に、仕上げ材１４で反射した光が、玄関土間９を間接的に照らす。玄関土間９は、照明装置３から出射される光によって、特に足元側（床８に近い側）が明るく照らされる。
【００４６】
設置面１５に取付固定された照明装置３においては、カバー部材７の上端部分である上カバー部７１が、照明装置３の上端をなし、カバー部材７の前端部分である前カバー部７３が、照明装置３の前端をなす。また、カバー部材７の下面開口を塞ぐように装着される透光部材３１が、照明装置３の下端をなす。
【００４７】
設置面１５に照明装置３が固定された状態で、照明装置３の上カバー７１部の上面と、玄関框２の第一板部２１の下面との間には、上下方向に距離Ｄ１を設ける。距離Ｄ１は、５ｍｍ以上で設定する。
【００４８】
玄関框２の第二板部２２は、照明装置３の前カバー部７３との間で前後方向に距離Ｄ２をあけて位置させる。距離Ｄ２は、８ｍｍ以上で設定する。玄関框２の、設置面１５から前方に突出する距離Ｄ３は、５２．５ｍｍ以内に収まるよう設ける。
【００４９】
これらの寸法設定により、玄関框２の玄関土間９側への突出部分に大きな荷重が掛かったときでも、玄関框２の変形を抑えることができ、仮に、玄関框２が大きく変形したときでも、玄関框２が照明装置３に当たって不具合を生じることが抑えられる。
【００５０】
以上述べたように、本実施形態の照明設置構造は、建築物の床８とこれの前方に位置する玄関土間９との間の段差部分１に、玄関土間９に面して位置する設置面１５と、設置面１５を跨いで上方に位置する玄関框２と、設置面１５に設置される照明装置３とを備える。そして、照明装置３で玄関土間９を照らすように設けている。
【００５１】
玄関框２は、第一板部２１と第二板部２２とをＬ字型に連続して有する部材である。第一板部２１は、設置面１５よりも玄関土間９側に位置する端縁部を有する。第二板部２２は、第一板部２１が有する前記端縁部から下方に延設される。設置面１５と玄関框２との間にはスペースＳが形成される。設置面１５に照明装置３を設置した状態で、スペースＳに照明装置３が位置するように設ける。
【００５２】
本実施形態の照明設置構造によれば、Ｌ字型の玄関框２を段差部分１に取り付ける簡単な施工で、照明装置３を配置するためのスペースＳを、段差部分１に形成することができる。そして、スペースＳに配置した照明装置３を玄関框２で隠して保護しながら、玄関土間９を照らすことができる。
【００５３】
また、本実施形態の照明設置構造では、設置面１５に照明装置３を設置した状態で、照明装置３と第一板部２１との間に、上下方向の距離Ｄ１が設けられ、且つ、照明装置３と第二板部２２の間に、前後方向の距離Ｄ２が設けられる。
【００５４】
これにより、仮に、玄関框２に大きな荷重が掛かって撓んだときでも、撓んだ玄関框２が照明装置３に当たって不具合を生じることが抑えられる。
【００５５】
また、本実施形態の照明設置構造では、照明装置３は、少なくとも上側の外郭をなすカバー部材７を備える。カバー部材７は、前斜め下方に傾斜した傾斜カバー部７２を有する。
【００５６】
これにより、仮に、玄関框２に大きな荷重が掛かって撓んだときでも、撓んだ玄関框２が照明装置３に当たって不具合を生じることが更に抑えられる。
【００５７】
また、本実施形態の照明設置構造では、設置面１５に照明装置３を設置した状態で、照明装置３の下端が、第二板部２２の下端よりも下方に位置するように設けている。
【００５８】
これにより、照明装置３を用いて玄関土間９を広範囲で照らしやすくなり、また、照明装置３を後付けするときの施工性が良好になり、取り付け後のメンテナンス性も良好になる。
【００５９】
以上、本発明を添付図面に示す実施形態に基づいて説明したが、本発明は前記実施形態に限定されるものではない。本発明の意図する範囲内であれば、適宜の設計変更を行うことが可能である。
【符号の説明】
【００６０】
１  段差部分
２  玄関框
３  照明装置
７  カバー部材
９  玄関土間
１５  設置面
２１  第一板部
２２  第二板部
７２  傾斜カバー部
Ｓ  スペース
Ｄ１  距離
Ｄ２  距離
【図１】
2014235830.tif 000003
【図２】
2014235830.tif 000004
【図３】
2014235830.tif 000005
【図４】
2014235830.tif 000006